(57)【要約】【課題】優れた熱除去性を有する、ＬＥＤのための照明ハウジングを提供すること。【解決手段】照明ハウジングは、本体と、凹所と、少なくとも１つの貫通孔とを有する。前記本体は、熱伝導性を有し、外面を有する。前記凹所は、前記本体の前記外面に設けられており、該凹所に少なくとも１つのＬＥＤが取り付けられる。前記貫通孔は前記本体を貫通している。電力を直接に消費することなく前記ＬＥＤから熱を除去するために前記ＬＥＤが前記凹所に取り付けられるため、前記照明ハウジングは小型である。また、前記貫通孔を異なるものとすることができるため、前記照明ハウジングを所望の放熱効率で製造することができる。【選択図】図１
0003141212.tif 000002
【実用新案登録請求の範囲】
【請求項１】
外面を有する熱伝導性の本体と、該本体の前記外面に設けられた凹所と、前記本体を貫通する少なくとも１つの貫通孔とを含む、照明ハウジング。
【請求項２】
前記本体は、六角形状であり、下部と２つの端部とを有し、前記凹所は前記本体の前記下部に設けられており、各貫通孔は前記本体を一端部から他端部へ貫通している、請求項１に記載の照明ハウジング。
【請求項３】
各貫通孔は、内側チェンバーと、内壁と、前記内側チェンバーに取り付けられ、前記内壁に接続された、前記内側チェンバーを複数の部屋に分割する熱伝導性の少なくとも１つのフィンとを有する、請求項１に記載の照明ハウジング。
【請求項４】
各貫通孔は、内側チェンバーと、内壁と、前記内側チェンバーに取り付けられ、前記内壁に接続された、前記内側チェンバーを複数の部屋に分割する熱伝導性の少なくとも１つのフィンとを有する、請求項２に記載の照明ハウジング。
【請求項５】
各部屋は、該部屋の内部に互いに平行に取り付けられた複数の隔壁を有する、請求項３に記載の照明ハウジング。
【請求項６】
各部屋は、該部屋の内部に互いに平行に取り付けられた複数の隔壁を有する、請求項４に記載の照明ハウジング。
【請求項７】
各部屋は、該部屋の内部に取り付けられた、前記部屋を複数のグリッドに分割する複数の網状隔壁を有する、請求項３に記載の照明ハウジング。
【請求項８】
各部屋は、該部屋の内部に取り付けられた、前記部屋を複数のグリッドに分割する複数の網状隔壁を有する、請求項４に記載の照明ハウジング。
【請求項９】
前記本体は逆Ｖ字形状の上部を有し、前記本体の前記下部は平坦である、請求項２に記載の照明ハウジング。
【請求項１０】
前記本体を貫通する固定用孔を有する、請求項１に記載の照明ハウジング。
【請求項１１】
前記本体を一端部から他端部へ貫通する固定用孔を有する、請求項２に記載の照明ハウジング。
【請求項１２】
前記本体を貫通する固定用孔を有する、請求項３に記載の照明ハウジング。
【請求項１３】
前記本体を一端部から他端部へ貫通する固定用孔を有する、請求項４に記載の照明ハウジング。
【請求項１４】
前記本体を貫通する固定用孔を有する、請求項５に記載の照明ハウジング。
【請求項１５】
前記本体を一端部から他端部へ貫通する固定用孔を有する、請求項６に記載の照明ハウジング。
【請求項１６】
前記本体を貫通する固定用孔を有する、請求項７に記載の照明ハウジング。
【請求項１７】
前記本体を一端部から他端部へ貫通する固定用孔を有する、請求項８に記載の照明ハウジング。
【請求項１８】
前記本体を一端部から他端部へ貫通する固定用孔を有する、請求項９に記載の照明ハウジング。
【考案の詳細な説明】
【技術分野】
【０００１】
本考案は、優れた熱除去性を有する、発光ダイオード（ＬＥＤ）のための照明ハウジングに関する。
【背景技術】
【０００２】
ＬＥＤが、従来の蛍光灯と比べて、電気を節約し、発熱量を低減し、高い性能を有し、非常に小さいため、前記ＬＥＤは前記蛍光灯に代わって電気装置の光源になっている。
【０００３】
前記ＬＥＤを保護するため、照明ハウジングが用いられ、該照明ハウジングに少なくとも１つのＬＥＤが結合される。前記ＬＥＤが、一般的な街灯、公園の電灯、太陽エネルギーの街灯、作業灯等に用いられるとき、所望の明るさを実現するためにＬＥＤの数が増やされる。前記ＬＥＤが電気を節約し、発熱量を低減するが、多数のＬＥＤが多くの熱を発生させる。
【０００４】
図７に示すように、従来の照明装置は、照明ハウジング３０と、少なくとも１つのＬＥＤ５０とを有する。照明ハウジング３０は、内側チェンバー３１と、放熱装置とを含む。前記放熱装置は、内側チェンバー３１に取り付けられており、複数のフィン４１を有する放熱器４０と、ヒートパイプと、ファンとを有する。ＬＥＤ５０は、照明ハウジング３０の内側チェンバー３１に取り付けられており、前記放熱装置に接続されている。照明ハウジング３０は、ＬＥＤ５０が損害を受けるのを防ぐために用いられており、前記放熱装置は熱を取り除くために用いられている。
【０００５】
照明ハウジング３０の内側チェンバー３１が、ＬＥＤ５０だけでなく、前記放熱装置も収容しているため、照明ハウジング３０が大型化し、前記照明装置の製造手順が複雑になり、前記照明装置のコストが増大する。
【考案の開示】
【考案が解決しようとする課題】
【０００６】
本考案は、前記した問題点を改善する照明ハウジングを提供する。
【０００７】
本考案の目的は、優れた熱除去性を有する、ＬＥＤのための照明ハウジングを提供することである。
【課題を解決するための手段】
【０００８】
本考案に係る照明ハウジングは、本体と、凹所と、少なくとも１つの貫通孔とを有する。前記本体は、熱伝導性を有し、外面を有する。前記凹所は、前記本体の前記外面に設けられており、該凹所に少なくとも１つのＬＥＤが取り付けられる。前記貫通孔は前記本体を貫通している。電力を直接に消費することなく前記ＬＥＤから熱を除去するために前記ＬＥＤが前記凹所に取り付けられるため、前記照明ハウジングは小さい。また、前記貫通孔を異なるものとすることができるため、前記照明ハウジングを所望の放熱効率で製造することができる。
【０００９】
本考案の他の目的、利点及び新規な特徴は、添付の図面に関する以下の詳細な説明からより明らかになる。
【考案を実施するための最良の形態】
【００１０】
図１、２に示すように、照明装置が、照明ハウジング１０と、少なくとも１つの発光ダイオード（ＬＥＤ）２０とを含む。
【００１１】
照明ハウジング１０は、本体１１と、凹所１２と、少なくとも１つの貫通孔１３と、固定用孔１６とを有する。
【００１２】
本体１１は、熱伝導性であり、金属で作られたものとすることができる。本体１１は、街路、公園等を装飾するいかなる形状であってもよい。本体１１は、該本体から周囲へ熱を除去することができ、外面を有する。前記外面は放熱領域である。本体１１は、六角形状とすることができ、上部と、下部と、２つの側部と、２つの端部とを有する。前記上部は逆Ｖ字形状である。前記下部は平坦である。
【００１３】
凹所１２は本体１１の前記外面に設けられている。凹所１２は、本体１１の前記下部に設けられたものとすることができる。
【００１４】
図３、４に示すように、貫通孔１３は本体１１を貫通している。貫通孔１３は、本体１１を一端部から他端部へ貫通するものとすることができる。貫通孔１３は、断面と、内側チェンバーと、内壁と、少なくとも１つのフィン１４とを有する。貫通孔１３の前記断面の形状は、例えば、三角形、四角形、円形、卵形、正多角形、他の多角形等とすることができる。前記内壁は前記放熱領域を増大させる。フィン１４は、熱伝導性であり、前記内側チェンバーを複数の部屋１５に分割するように、対応する貫通孔１３の前記内側チェンバーに取り付けられており、前記内壁に接続されている。このため、フィン１４は前記放熱領域を増大させる。
【００１５】
図５に示す例では、各部屋１５ａは複数の隔壁１７ａを含む。隔壁１７ａは、前記放熱領域を増大させるために部屋１５ａの内部に互いに平行に取り付けられている。
【００１６】
図６に示す例では、各部屋１５ｂは複数の網状隔壁１７ｂを含む。網状隔壁１７ｂは、前記放熱領域を増大させるために、部屋１５ｂを複数のグリッド１８ｂに分割するように部屋１５ｂの内部に取り付けられている。
【００１７】
隔壁は、当業者に知られた異なる構造を有するものとすることができる。
【００１８】
固定用孔１６は本体１１を貫通している。固定用孔１６は、本体１１を一端部から他端部へ貫通するものとすることができ、照明ハウジング１０をピン等により前記照明装置に固定できるようにする。
【００１９】
ＬＥＤ２０は凹所１２に取り付けられる。ＬＥＤ２０は、回路基板と、電源に接続された電線とを有する。
【００２０】
電力を直接に消費することなくＬＥＤ２０から熱を除去するためにＬＥＤ２０が凹所１２に取り付けられるため、照明ハウジング１０は小さい。前記照明装置の製造手順が簡単であり、前記照明装置の製造コストが低減される。本体１１の貫通孔１３を異なるものとすることができ、照明ハウジング１０を所望の放熱効率で製造することができる。
【図面の簡単な説明】
【００２１】
【図１】本考案に係る、ＬＥＤを備える照明ハウジングの分解斜視図。
【図２】図１に示した照明ハウジングの斜視図。
【図３】図１に示した照明ハウジングの端面図。
【図４】図１に示した照明ハウジングの水平断面図。
【図５】本考案の第１実施例に係る、照明ハウジングの部屋の断面図。
【図６】本考案の第２実施例に係る、照明ハウジングの部屋の断面図。
【図７】ＬＥＤと放熱器とを備える従来の照明ハウジングの断面図。
【符号の説明】
【００２２】
１０    照明ハウジング
１１    本体
１２    凹所
１３    貫通孔
１４    フィン
１５、１５ａ、１５ｂ    部屋
１６    固定用孔
１７ａ    隔壁
１７ｂ    網状隔壁
１８ｂ    グリッド
２０    発光ダイオード（ＬＥＤ）
【図１】
0003141212.tif 000003
【図２】
0003141212.tif 000004
【図３】
0003141212.tif 000005
【図４】
0003141212.tif 000006
【図５】
0003141212.tif 000007
【図６】
0003141212.tif 000008
【図７】
0003141212.tif 000009